(57)【要約】【課題】電子機器用カバーを装着した電子機器を使用するときに、使い方が制限されることなく、太陽電池モジュールの少なくとも一部に入射する太陽光の量が減少することが抑制される電子機器用カバーを提供する。【解決手段】電子機器１０に対する太陽電池モジュール２２の相対位置が、少なくとも、第１位置であるときと、第１位置とは異なる第２位置であるときと、第１位置および第２位置を結ぶ直線上にない第３位置であるときとにおいて、太陽電池モジュールと電気的に接続された少なくとも１つの第１正極端子２６ａのいずれかと、電子機器に電気的に接続される少なくとも１つの第２正極端子３６ａのいずれかとが接触し、太陽電池モジュールと電気的に接続された少なくとも１つの第１負極端子２６ｂのいずれかと、電子機器に電気的に接続される少なくとも１つの第２負極端子３６ｂのいずれかとが接触し、太陽電池モジュールが電子機器と電気的に接続される。【選択図】図８
2017093084.tif 000002
【特許請求の範囲】
【請求項１】
電子機器を保持する電子機器用カバーであって、
前記電子機器に電力を供給することができる太陽電池モジュールと、
前記太陽電池モジュールと電気的に接続された少なくとも１つの第１正極端子および少なくとも１つの第１負極端子と、
前記電子機器に電気的に接続される少なくとも１つの第２正極端子および少なくとも１つの第２負極端子と、
前記太陽電池モジュールと略平行な面に設けられたガイド溝と
を有し、
前記太陽電池モジュールは、前記ガイド溝に沿って前記面内を移動することができ、
前記面内における、前記電子機器に対する前記太陽電池モジュールの相対位置が、少なくとも、第１位置であるときと、前記第１位置とは異なる第２位置であるときと、前記第１位置および前記第２位置を結ぶ直線上にない第３位置であるときとにおいて、前記少なくとも１つの第１正極端子のいずれかと前記少なくとも１つの第２正極端子のいずれかとが接触し、前記少なくとも１つの第１負極端子のいずれかと前記少なくとも１つの第２負極端子のいずれかとが接触し、前記太陽電池モジュールが前記電子機器と電気的に接続される、電子機器用カバー。
【請求項２】
前記ガイド溝は、互いに略直交する２本の直線ガイド溝部分を含む、請求項１に記載の電子機器用カバー。
【請求項３】
前記面内における、前記電子機器に対する前記太陽電池モジュールの相対位置が、前記第１位置と前記第２位置との間を移動する過程および前記第１位置と前記第３位置との間を移動する過程において、前記少なくとも１つの第１正極端子のいずれかと前記少なくとも１つの第２正極端子のいずれかとが接触し、前記少なくとも１つの第１負極端子のいずれかと前記少なくとも１つの第２負極端子のいずれかとが接触し、前記太陽電池モジュールが前記電子機器と電気的に接続される、請求項１または２に記載の電子機器用カバー。
【請求項４】
前記太陽電池モジュールを保持する第１保持部と、
前記第１保持部の太陽電池モジュール側と反対側に設けられ、前記ガイド溝に嵌合される凸部と、
前記凸部の先端部に設けられた前記少なくとも１つの第１正極端子および前記少なくとも１つの第１負極端子と
を有する第１ボディと、
前記太陽電池モジュールと略平行な面内に広がり、前記第１保持部を受容する受容部と、
前記ガイド溝と、
前記ガイド溝の前記受容部側と反対側に設けられ、前記太陽電池モジュールの法線方向から見たとき前記ガイド溝の少なくとも一部と重なる凹部と、
前記凹部内に設けられた前記少なくとも１つの第２正極端子および前記少なくとも１つの第２負極端子と、
電子機器を保持する第２保持部と
を有する第２ボディとを備え、
前記凹部は、前記第１保持部によって覆われている、請求項１から３のいずれかに記載の電子機器用カバー。
【請求項５】
前記少なくとも１つの第２正極端子および前記少なくとも１つの第２負極端子は、前記太陽電池モジュールの法線方向から見たとき、前記ガイド溝の内側に設けられている、請求項１から４のいずれかに記載の電子機器用カバー。
【発明の詳細な説明】
【技術分野】
【０００１】
本発明は、カバーに関し、特に、電子機器用カバーに関する。なお、本明細書において、「電子機器用カバー」は、電子機器と一体に設けられているものを含む。また、本明細書において、「電子機器」は、モバイル電子機器を含み、例えばタブレットＰＣ、電子書籍端末、電子ノート、スマートフォン、携帯電話、携帯ゲーム機、電子辞書、音楽プレイヤー等を含む。
【背景技術】
【０００２】
電子機器が普及するにつれて、電子機器用の様々なカバーやケースが開発されている。例えば、電子機器を充電することができる、太陽電池素子を備えた電子機器用カバーまたはケースが知られている。
【０００３】
特許文献１は、電子機器の操作面を露出して電子機器の外側を覆うトレイと、外部に露出されるようにトレイに設けられた色素増感太陽電池モジュールと、二次電池とを備える電子機器用カバー部材を開示している。特許文献１の電子機器用カバー部材によると、電子機器を覆った状態で、色素増感太陽電池モジュールによって電子機器を充電することができる。特許文献１の電子機器用カバー部材を電子機器に装着しても、電子機器の操作面は露出されているので、電子機器を例えば手に持って使用しながら、電子機器の充電を行うことができる。
【先行技術文献】
【特許文献】
【０００４】
【特許文献１】特開２０１３−６５４２６号公報
【発明の概要】
【発明が解決しようとする課題】
【０００５】
本発明者の検討によると、特許文献１の電子機器用カバー部材を装着した電子機器を手に持って使用すると、持ち方（例えば持つ位置）によっては、手または手の影で太陽電池モジュールの少なくとも一部を覆ってしまうことがある。太陽電池モジュールの少なくとも一部が例えば手または手の影で覆われると、その部分に入射する太陽光の量が減少する。これにより、太陽電池モジュール全体としての出力電流および／または出力電圧が低下し得るという問題が生じ得る。例えば、太陽電池モジュールが直列に接続された複数の太陽電池セルで構成されていると、太陽電池セルのうち入射光が少ない太陽電池セルの出力電流が低下することにより、太陽電池モジュール全体としての出力電流が低下し得、太陽電池モジュールが並列に接続された複数の太陽電池セルで構成されていると、太陽電池セルのうち入射光が少ない太陽電池セルの出力電圧が低下することにより、太陽電池モジュール全体としての出力電圧が低下し得るからである。
【０００６】
一方で、手または手の影で太陽電池モジュールを覆わないようにしようとすると、電子機器の使い方（例えば使用する向きや持ち方（例えば持つ位置））が制限されることがある。電子機器によっては、例えば操作面（または表示面）を回転させながら使用することもある。電子機器を使用する向きに応じて、持ち方を自在に変えることができないと不便であるという問題が生じ得る。
【０００７】
本発明は、これらの問題を解決するためになされたものであり、電子機器用カバーを装着した電子機器を使用するときに、使い方が制限されることなく、太陽電池モジュールの少なくとも一部に入射する太陽光の量が減少することが抑制される電子機器用カバーを提供することを目的とする。
【課題を解決するための手段】
【０００８】
本発明の実施形態による電子機器用カバーは、電子機器を保持する電子機器用カバーであって、前記電子機器に電力を供給することができる太陽電池モジュールと、前記太陽電池モジュールと電気的に接続された少なくとも１つの第１正極端子および少なくとも１つの第１負極端子と、前記電子機器に電気的に接続される少なくとも１つの第２正極端子および少なくとも１つの第２負極端子と、前記太陽電池モジュールと略平行な面に設けられたガイド溝とを有し、前記太陽電池モジュールは、前記ガイド溝に沿って前記面内を移動することができ、前記面内における、前記電子機器に対する前記太陽電池モジュールの相対位置が、少なくとも、第１位置であるときと、前記第１位置とは異なる第２位置であるときと、前記第１位置および前記第２位置を結ぶ直線上にない第３位置であるときとにおいて、前記少なくとも１つの第１正極端子のいずれかと前記少なくとも１つの第２正極端子のいずれかとが接触し、前記少なくとも１つの第１負極端子のいずれかと前記少なくとも１つの第２負極端子のいずれかとが接触し、前記太陽電池モジュールが前記電子機器と電気的に接続される。
【０００９】
ある実施形態において、前記第１位置および前記第２位置を結ぶ直線と、前記第１位置および前記第３位置を結ぶ直線とは、互いに略直交する。
【００１０】
ある実施形態において、前記ガイド溝は、互いに略直交する２本の直線ガイド溝部分を含む。
【００１１】
ある実施形態において、前記面内における、前記電子機器に対する前記太陽電池モジュールの相対位置が、前記第１位置と前記第２位置との間を移動する過程および前記第１位置と前記第３位置との間を移動する過程において、前記少なくとも１つの第１正極端子のいずれかと前記少なくとも１つの第２正極端子のいずれかとが接触し、前記少なくとも１つの第１負極端子のいずれかと前記少なくとも１つの第２負極端子のいずれかとが接触し、前記太陽電池モジュールが前記電子機器と電気的に接続される。
【００１２】
ある実施形態において、前記電子機器用カバーは、前記太陽電池モジュールを保持する第１保持部と、前記第１保持部の太陽電池モジュール側と反対側に設けられ、前記ガイド溝に嵌合される凸部と、前記凸部の先端部に設けられた前記少なくとも１つの第１正極端子および前記少なくとも１つの第１負極端子とを有する第１ボディと、前記太陽電池モジュールと略平行な面内に広がり、前記第１保持部を受容する受容部と、前記ガイド溝と、前記ガイド溝の前記受容部側と反対側に設けられ、前記太陽電池モジュールの法線方向から見たとき前記ガイド溝の少なくとも一部と重なる凹部と、前記凹部内に設けられた前記少なくとも１つの第２正極端子および前記少なくとも１つの第２負極端子と、電子機器を保持する第２保持部とを有する第２ボディとを備え、前記凹部は、前記第１保持部によって覆われている。
【００１３】
ある実施形態において、前記ガイド溝は、前記太陽電池モジュールの法線方向から見たとき前記受容部の内側に設けられている。
【００１４】
ある実施形態において、前記ガイド溝は、前記太陽電池モジュールの法線方向から見たとき前記凹部の内側に設けられている。
【００１５】
ある実施形態において、前記電子機器用カバーは、前記受容部の少なくとも一部を埋めるように配置され、オルタネイト動作を行うフィラー部をさらに有する。
【００１６】
ある実施形態において、前記少なくとも１つの第２正極端子および前記少なくとも１つの第２負極端子は、前記太陽電池モジュールの法線方向から見たとき、前記ガイド溝の内側に設けられている。
【００１７】
ある実施形態において、前記少なくとも１つの第１正極端子は、１つの第１正極端子であり、前記少なくとも１つの第１負極端子は、１つの第１負極端子であり、前記少なくとも１つの第２正極端子は、複数の第２正極端子であり、前記少なくとも１つの第２負極端子は、複数の第２負極端子である。
【００１８】
ある実施形態において、前記複数の第２正極端子の内、前記第１位置において、前記１つの第１正極端子と接触する第２正極端子と、前記第２位置において、前記１つの第１正極端子と接触する第２正極端子と、前記第３位置において、前記１つの第１正極端子と接触する第２正極端子とは、互いに異なり、前記複数の第２負極端子の内、前記第１位置において、前記１つの第１負極端子と接触する第２負極端子と、前記第２位置において、前記１つの第１負極端子と接触する第２負極端子と、前記第３位置において、前記１つの第１負極端子と接触する第２負極端子とは、互いに異なる。
【００１９】
ある実施形態において、前記少なくとも１つの第１正極端子は、１つの第１正極端子であり、前記少なくとも１つの第１負極端子は、１つの第１負極端子であり、前記少なくとも１つの第２正極端子は、１つの第２正極端子であり、前記少なくとも１つの第２負極端子は、１つの第２負極端子である。
【００２０】
ある実施形態において、前記少なくとも１つの第１正極端子は、複数の第１正極端子であり、前記少なくとも１つの第１負極端子は、複数の第１負極端子であり、前記少なくとも１つの第２正極端子は、複数の第２正極端子であり、前記少なくとも１つの第２負極端子は、複数の第２負極端子である。
【００２１】
ある実施形態において、前記複数の第２正極端子の内、前記第１位置において、前記複数の第１正極端子のいずれかと接触する第２正極端子と、前記第２位置において、前記複数の第１正極端子のいずれかと接触する第２正極端子と、前記第３位置において、前記複数の第１正極端子のいずれかと接触する第２正極端子とは、互いに異なり、前記複数の第２負極端子の内、前記第１位置において、前記複数の第１負極端子のいずれかと接触する第２負極端子と、前記第２位置において、前記複数の第１負極端子のいずれかと接触する第２負極端子と、前記第３位置において、前記複数の第１負極端子のいずれかと接触する第２負極端子とは、互いに異なる。
【発明の効果】
【００２２】
本発明の実施形態によると、電子機器用カバーを装着した電子機器を使用するときに、使い方が制限されることなく、太陽電池モジュールの少なくとも一部に入射する太陽光の量が減少することが抑制される電子機器用カバーを提供することができる。
【図面の簡単な説明】
【００２３】
【図１】（ａ）、（ｂ）および（ｄ）は、電子機器１０を保持している電子機器用カバー１００Ａを太陽電池モジュール２２側から見た模式図であり、（ｃ）は、電子機器１０を保持している電子機器用カバー１００Ａを太陽電池モジュール２２側と反対側から見た模式図である。
【図２】（ａ）は、電子機器用カバー１００Ａを、太陽電池モジュール２２を有する面の正面から見た模式的な平面図（すなわち、ｚ軸方向から見た模式的な平面図）であり、（ｂ）は、（ａ）中の２Ｂ−２Ｂ’線に沿った断面図であり、（ｃ）は、（ａ）中の２Ｃ−２Ｃ’線に沿った断面図である。
【図３】（ａ）および（ｂ）は、第１ボディ２０の模式的な斜視図であり、（ｃ）は、第１ボディ２０をｚ軸方向から見た模式的な平面図であり、（ｄ）は、第１ボディ２０を−ｙ軸方向から見た模式的な側面図であり、（ｅ）は、第１ボディ２０をｘ軸方向から見た模式的な側面図である。
【図４】（ａ）は、第２ボディ３０の模式的な斜視図であり、（ｂ）は、第２ボディ３０をｚ軸方向から見た模式的な平面図であり、（ｃ）は、第２ボディ３０を−ｙ軸方向から見た模式的な側面図であり、（ｄ）は、第２ボディ３０をｘ軸方向から見た模式的な側面図である。
【図５】（ａ）は、太陽電池モジュール２２をｚ軸方向から見た模式図であり、（ｂ）は、（ａ）中の５Ｂ−５Ｂ’線に沿った断面図である。
【図６】第２正極端子３６ａおよび第２負極端子３６ｂの位置を説明するための模式的な図である。
【図７】（ａ）は、太陽電池モジュール２２の位置を説明するための模式的な図であり、（ｂ）は、（ａ）中の下段の電子機器用カバーの模式的な断面図である。
【図８】（ａ）〜（ｄ）は、電子機器用カバー１００Ａを装着した電子機器１０を手に持って使用するときの持ち方を説明するための模式的な図である。
【図９】（ａ）は、電子機器用カバー１００Ａを、太陽電池モジュール２２を有する面の正面から見た模式的な平面図（すなわち、ｚ軸方向から見た模式的な平面図）であり、（ｂ）は、（ａ）中の９Ｂ−９Ｂ’線に沿った断面図であり、（ｃ）は、（ａ）中の９Ｃ−９Ｃ’線に沿った断面図である。
【図１０】（ａ）は、電子機器用カバー１００Ｂを、太陽電池モジュール２２を有する面の正面から見た模式的な平面図（すなわち、ｚ軸方向から見た模式的な平面図）であり、（ｂ）は、（ａ）中の１０Ｂ−１０Ｂ’線に沿った断面図であり、（ｃ）は、（ａ）中の１０Ｃ−１０Ｃ’線に沿った断面図である。
【図１１】（ａ）は、位置ｐ６にある太陽電池モジュール２２（ｐ６）を有する電子機器用カバー１００Ｂを、ｚ軸方向から見た模式的な平面図であり、（ｂ）は、（ａ）中の１１Ｂ−１１Ｂ’線に沿った断面図であり、（ｃ）は、（ａ）中の１１Ｃ−１１Ｃ’線に沿った断面図である。
【図１２】（ａ）は、位置ｐ８にある太陽電池モジュール２２（ｐ８）を有する電子機器用カバー１００Ｂを、ｚ軸方向から見た模式的な平面図であり、（ｂ）は、（ａ）中の１２Ｂ−１２Ｂ’線に沿った断面図であり、（ｃ）は、（ａ）中の１２Ｃ−１２Ｃ’線に沿った断面図である。
【図１３】（ａ）〜（ｄ）は、電子機器用カバー１００Ｂを装着した電子機器１０を、手に持って使用するときの持ち方を説明するための模式的な図である。
【図１４】（ａ）は、太陽電池モジュール２２をｚ軸方向から見た模式的な平面図であり、（ｂ）は、（ａ）中の１４Ｂ−１４Ｂ’線に沿った断面図である。
【図１５】（ａ）は、第１ボディ２０をｚ軸方向から見た模式的な平面図であり、（ｂ）は、第１ボディ２０を−ｙ軸方向から見た模式的な側面図であり、（ｃ）は、第１ボディ２０をｘ軸方向から見た模式的な側面図である。
【図１６】（ａ）は、第２ボディ３０の模式的な斜視図であり、（ｂ）は、第１部品３０ａをｚ軸方向から見た模式的な平面図であり、（ｃ）は、第１部品３０ａを−ｙ軸方向から見た模式的な側面図であり、（ｄ）は、第１部品３０ａをｘ軸方向から見た模式的な側面図である。
【図１７】（ａ）は、第２部品３０ｂをｚ軸方向から見た模式的な平面図であり、（ｂ）は、（ａ）中の１７Ｂ−１７Ｂ’線に沿った断面図であり、（ｃ）は、第２部品３０ｂをｘ軸方向からみた模式的な側面図であり、（ｄ）は、第３部品３０ｃをｚ軸方向から見た模式的な平面図であり、（ｅ）は、（ｄ）中の１７Ｅ−１７Ｅ’線に沿った断面図であり、（ｆ）は、第３部品３０ｃをｘ軸方向からみた模式的な側面図である。
【図１８】（ａ）は、第２部品３０ｂおよび第３部品３０ｃをｚ軸方向から見た模式的な平面図であり、（ｂ）は、（ａ）中の１８Ｂ−１８Ｂ’線に沿った断面図であり、（ｃ）は、（ａ）中の１８Ｃ−１８Ｃ’線に沿った断面図である。
【図１９】（ａ）は、電子機器用カバー１００Ｂを、太陽電池モジュール２２を有する面の正面から見た模式的な平面図（すなわち、ｚ軸方向から見た模式的な平面図）であり、（ｂ）は、（ａ）中の１９Ｂ−１９Ｂ’線に沿った断面図であり、（ｃ）は、（ａ）中の１９Ｃ−１９Ｃ’線に沿った断面図である。
【図２０】（ａ）は、電子機器用カバー１００Ｃを、太陽電池モジュール２２を有する面の正面から見た模式的な平面図（すなわち、ｚ軸方向から見た模式的な平面図）であり、（ｂ）は、（ａ）中の２０Ｂ−２０Ｂ’線に沿った断面図であり、（ｃ）は、（ａ）中の２０Ｃ−２０Ｃ’線に沿った断面図であり、（ｄ）は、（ａ）中の２０Ｄ−２０Ｄ’線に沿った断面図であり、（ｅ）は、（ａ）中の２０Ｅ−２０Ｅ’線に沿った断面図であり、（ｆ）は、（ａ）中の２０Ｆ−２０Ｆ’線に沿った断面図であり、（ｇ）は、（ａ）中の２０Ｇ−２０Ｇ’線に沿った断面図であり、（ｈ）は、（ａ）中の２０Ｈ−２０Ｈ’線に沿った断面図であり、（ｉ）は、（ａ）中の２０Ｉ−２０Ｉ’線に沿った断面図である。
【図２１】（ａ）は、位置ｐ６にある太陽電池モジュール２２（ｐ６）を有する電子機器用カバー１００Ｃを、ｚ軸方向から見た模式的な平面図であり、（ｂ）は、（ａ）中の２１Ｂ−２１Ｂ’線に沿った断面図であり、（ｃ）は、（ａ）中の２１Ｃ−２１Ｃ’線に沿った断面図であり、（ｄ）は、（ａ）中の２１Ｄ−２１Ｄ’線に沿った断面図であり、（ｅ）は、（ａ）中の２１Ｅ−２１Ｅ’線に沿った断面図であり、（ｆ）は、（ａ）中の２１Ｆ−２１Ｆ’線に沿った断面図であり、（ｇ）は、（ａ）中の２１Ｇ−２１Ｇ’線に沿った断面図であり、（ｈ）は、（ａ）中の２１Ｈ−２１Ｈ’線に沿った断面図であり、（ｉ）は、（ａ）中の２１Ｉ−２１Ｉ’線に沿った断面図である。
【図２２】（ａ）は、電子機器用カバー１００Ｃが有する第１ボディ２０および第２ボディ３０をｚ軸方向から見た模式的な平面図であり、（ｂ）は、第１ボディ２０および第２ボディ３０を−ｙ軸方向から見た模式的な側面図であり、（ｃ）は、第１ボディ２０および第２ボディ３０をｘ軸方向から見た模式的な側面図である。
【図２３】（ａ）は、太陽電池モジュール２２をｚ軸方向から見た模式的な平面図であり、（ｂ）は、（ａ）中の２３Ｂ−２３Ｂ’線に沿った断面図である。
【図２４】（ａ）は、電子機器用カバー１００Ｄを、太陽電池モジュール２２を有する面の正面から見た模式的な平面図（すなわち、ｚ軸方向から見た模式的な平面図）であり、（ｂ）は、（ａ）中の２４Ｂ−２４Ｂ’線に沿った断面図であり、（ｃ）は、（ａ）中の２４Ｃ−２４Ｃ’線に沿った断面図である。
【図２５】（ａ）は、位置ｐ６にある太陽電池モジュール２２（ｐ６）を有する電子機器用カバー１００Ｄを、ｚ軸方向から見た模式的な平面図であり、（ｂ）は、（ａ）中の２５Ｂ−２５Ｂ’線に沿った断面図であり、（ｃ）は、（ａ）中の２５Ｃ−２５Ｃ’線に沿った断面図である。
【図２６】（ａ）は、電子機器用カバー１００Ｄが有する第２ボディ３０の模式的な斜視図であり、（ｂ）は、第２ボディ３０をｚ軸方向から見た模式的な平面図であり、（ｃ）は、第２ボディ３０を−ｙ軸方向から見た模式的な側面図であり、（ｄ）は、第２ボディ３０をｘ軸方向から見た模式的な側面図である。
【図２７】電子機器用カバー１００Ｄにおける、太陽電池モジュール２２と複数の第１正極端子２６ａおよび複数の第１負極端子２６ｂとの接続関係を説明するための模式的な図であり、太陽電池モジュール２２をｚ軸方向から見た模式的な平面図である。
【図２８】（ａ）は、電子機器用カバー１００Ｅを、太陽電池モジュール２２を有する面の正面から見た模式的な平面図（すなわち、ｚ軸方向から見た模式的な平面図）であり、（ｂ）は、電子機器用カバー１００Ｅが有するフィラー部２３の動作を説明するための模式的な図である。
【図２９】（ａ）は、図２８（ａ）中の２９Ａ−２９Ａ’線に沿った断面図であり、（ｂ）は、図２８（ａ）中の２９Ｂ−２９Ｂ’線に沿った断面図であり、（ｃ）は、図２８（ａ）中の２９Ｃ−２９Ｃ’線に沿った断面図であり、（ｄ）は、図２８（ａ）中の２９Ｄ−２９Ｄ’線に沿った断面図であり、（ｅ）は、図２８（ａ）中の２９Ｅ−２９Ｅ’線に沿った断面図である。
【図３０】（ａ）は、位置ｐ２にある太陽電池モジュール２２（ｐ２）を有する電子機器用カバー１００Ｅを、ｚ軸方向から見た模式的な平面図であり、（ｂ）は、（ａ）中の３０Ｂ−３０Ｂ’線に沿った断面図である。
【図３１】（ａ）は、電子機器用カバー１００Ｅを、太陽電池モジュール２２を有する面の正面から見た模式的な平面図（すなわち、ｚ軸方向から見た模式的な平面図）であり、（ｂ）は、（ａ）中の３１Ｂ−３１Ｂ’線に沿った断面図であり、（ｃ）は、（ａ）中の３１Ｃ−３１Ｃ’線に沿った断面図である。
【発明を実施するための形態】
【００２４】
以下で、図面を参照して、本発明の実施形態による電子機器用カバーを説明する。なお、本発明は以下で例示する実施形態に限られない。以下の図面において、実質的に同じ機能を有する構成要素は共通の参照符号で示し、その説明を省略することがある。
【００２５】
（実施形態１）
図１〜図９を参照して、本発明による実施形態１の電子機器用カバー１００Ａを説明する。
【００２６】
図１を参照する。図１（ａ）、（ｂ）および（ｄ）は、電子機器１０を保持している電子機器用カバー１００Ａを太陽電池モジュール２２側から見た模式図であり、図１（ｃ）は、電子機器１０を保持している電子機器用カバー１００Ａを太陽電池モジュール２２側とは反対側から見た模式図である。図１（ａ）〜（ｃ）は、電子機器１０を電子機器用カバー１００Ａの内側に収納した状態であり、図１（ｄ）は、電子機器１０を電子機器用カバー１００Ａの外側に引き出した状態である。
【００２７】
図１（ａ）〜（ｄ）に示すように、電子機器用カバー１００Ａは、電子機器１０を保持する電子機器用カバーであり、電子機器１０に電力を供給することができる太陽電池モジュール２２を有する。電子機器用カバー１００Ａにおいてｘｙｚ直交座標系をとり、太陽電池モジュール２２に平行な面をｘｙ面とする。図１（ａ）および（ｂ）に示すように、太陽電池モジュール２２は、太陽電池モジュール２２と平行な面（ｘｙ面）内の位置を変えることができる。
【００２８】
図２〜図５を参照して、電子機器用カバー１００Ａの構造を説明する。
【００２９】
図２（ａ）は、電子機器用カバー１００Ａを、太陽電池モジュール２２を有する面の正面から見た模式的な平面図（すなわち、ｚ軸方向から見た模式的な平面図）であり、図２（ｂ）は、図２（ａ）中の２Ｂ−２Ｂ’線に沿った断面図であり、図２（ｃ）は、図２（ａ）中の２Ｃ−２Ｃ’線に沿った断面図である。図３（ａ）および（ｂ）は、第１ボディ２０の模式的な斜視図であり、図３（ｃ）は、第１ボディ２０をｚ軸方向から見た模式的な平面図であり、図３（ｄ）は、第１ボディ２０を−ｙ軸方向から見た模式的な側面図であり、図３（ｅ）は、第１ボディ２０をｘ軸方向から見た模式的な側面図である。図３（ｂ）においては、簡単のために、第１正極端子および第１負極端子の図示を省略している。図４（ａ）は、第２ボディ３０の模式的な斜視図であり、図４（ｂ）は、第２ボディ３０をｚ軸方向から見た模式的な平面図であり、図４（ｃ）は、第２ボディ３０を−ｙ軸方向から見た模式的な側面図であり、図４（ｄ）は、第２ボディ３０をｘ軸方向から見た模式的な側面図である。図４（ａ）においては、見やすさのために、第２正極端子および第２負極端子の図示を省略している。図５は、太陽電池モジュール２２と第１正極端子２６ａおよび第１負極端子２６ｂとの接続関係を説明するための模式的な図である。図５（ａ）は、太陽電池モジュール２２をｚ軸方向から見た模式的な平面図であり、図５（ｂ）は、図５（ａ）中の５Ｂ−５Ｂ’線に沿った断面図である。
【００３０】
図２（ａ）〜（ｃ）に示すように、電子機器１０を保持する電子機器用カバー１００Ａは、電子機器１０に電力を供給することができる太陽電池モジュール２２と、太陽電池モジュール２２と電気的に接続された第１正極端子２６ａおよび第１負極端子２６ｂと、電子機器１０に電気的に接続される複数の第２正極端子３６ａおよび複数の第２負極端子３６ｂと、太陽電池モジュール２２と平行な面（ｘｙ面）に設けられたガイド溝３２とを有する。太陽電池モジュール２２は、ガイド溝３２に沿って、ｘｙ面内を移動することができる。ｘｙｚ直交座標系は、右手系の直交座標系である。ｘ軸およびｙ軸の取り方は任意であるが、図２（ａ）に示す例では、電子機器用カバー１００Ａの１辺に平行な方向をｘ軸としている。電子機器１０は、例えば蓄電池（二次電池）を有する。蓄電池としては、例えば、メモリー効果の無い、リチウムイオン電池が好適に用いられ得る。
【００３１】
電子機器用カバー１００Ａは、例えば、第１ボディ２０と、第２ボディ３０とを備える。
【００３２】
図３に示すように、第１ボディ２０は、例えばおおよそ板状である。第１ボディ２０は、太陽電池モジュール２２を保持する第１保持部２４と、第１保持部２４の太陽電池モジュール２２側と反対側に設けられ、ガイド溝３２に嵌合される凸部２５と、凸部２５の先端部に設けられた第１正極端子２６ａおよび第１負極端子２６ｂとを有する。凸部２５は、ガイド溝３２に受容されガイド溝３２内を移動する幹部２８と、嵌合部２９とを有する。嵌合部２９のｚ軸方向から見たときの大きさは、幹部２８のｚ軸方向から見たときの大きさよりも大きい。例えば、第１正極端子２６ａおよび第１負極端子２６ｂは、凸部２５の嵌合部２９に設けられていてもよい。
【００３３】
図４に示すように、第２ボディ３０は、例えばおおよそ板状である。第２ボディ３０は、太陽電池モジュール２２と平行な面（ｘｙ面）内に広がり、第１保持部２４を受容する受容部３８と、ガイド溝３２と、ガイド溝３２の受容部３８側と反対側に設けられ、太陽電池モジュール２２の法線方向（ｚ軸方向）から見たときガイド溝３２の少なくとも一部と重なる凹部３７と、凹部３７内に設けられた複数の第２正極端子３６ａおよび複数の第２負極端子３６ｂと、電子機器１０を保持する第２保持部３４とを有する。ガイド溝３２は、例えば、太陽電池モジュール２２の法線方向から見たとき受容部３８の内側に設けられている。図４に示すように、ガイド溝３２は、例えば、太陽電池モジュール２２の法線方向から見たとき凹部３７の内側に設けられていてもよい。すなわち、凹部３７は、ｚ軸方向から見たときガイド溝３２の全てと重なっていてもよい。複数の第２正極端子３６ａおよび複数の第２負極端子３６ｂの少なくとも一部は、太陽電池モジュール２２の法線方向からみたとき、ガイド溝３２と重なり得る。例えば図４に示すように、複数の第２正極端子３６ａおよび複数の第２負極端子３６ｂは、ｚ軸方向からみたとき、ガイド溝３２の内側に設けられていてもよい。
【００３４】
凸部２５がガイド溝３２に嵌合されると、凹部３７は、第１保持部２４（および／または太陽電池モジュール２２）によって覆われる。すなわち、凹部３７および第１保持部２４によって閉じられた空間が形成される。このとき、第１正極端子２６ａ、第１負極端子２６ｂ、複数の第２正極端子３６ａおよび複数の第２負極端子３６ｂは、第１保持部２４および凹部３７によって形成された空間の中に配置されている。すなわち、これらの端子は外部に露出されていない。電子機器用カバー１００Ａは、端子が露出されていないので、端子に誤って異物が接触してしまうことを防ぐことができる。図９を参照して後述するように、太陽電池モジュール２２の位置に依らず、第１保持部２４が凹部３７を覆うように、凹部３７、第１保持部２４およびガイド溝３２のサイズ（ｘ軸方向の長さおよびｙ軸方向の長さ）を設定することが好ましい。
【００３５】
図２および図４に示すように、ガイド溝３２は、例えば、ｘ軸方向に延びるガイド溝３２ｘと、ｙ軸方向に延びるガイド溝３２ｙａ、３２ｙｂ、３２ｙｃとを有する。ｘ軸方向に延びるガイド溝３２ｘまたはｙ軸方向に延びるガイド溝３２ｙａ、３２ｙｂ、３２ｙｃを「直線ガイド溝部分」ということがある。ガイド溝３２は、互いに直交する２本の直線ガイド溝部分を含む。図示する例では、ガイド溝３２は、１本のｘ軸方向に延びるガイド溝３２ｘと、３本のｙ軸方向に延びるガイド溝３２ｙａ、３２ｙｂ、３２ｙｃとを有するが、本実施形態はこれに限られず、ガイド溝３２が有するｘ軸方向に延びるガイド溝およびｙ軸方向に延びるガイド溝は、それぞれ独立に、１本であってもよいし、複数であってもよい。後述する実施形態４の電子機器用カバー（図２４参照）が有するガイド溝のように、ｘ軸方向に延びるガイド溝およびｙ軸方向に延びるガイド溝を同じ数ずつ有してもよい。ｘ軸方向に延びるガイド溝およびｙ軸方向に延びるガイド溝は、格子状に配置されていてもよい。
【００３６】
図５（ａ）に示すように、第１正極端子２６ａは、配線２７ａを介して、太陽電池モジュール２２の正極２１ａに電気的に接続されている。第１負極端子２６ｂは、配線２７ｂを介して、太陽電池モジュール２２の負極２１ｂに電気的に接続されている。配線２７ａ、２７ｂは、例えば、図５（ｂ）に示すように、第１保持部２４および凸部２５の内部を通って配置されている。すなわち、配線２７ａ、２７ｂは、外部に露出されていない。配線２７ａ、２７ｂが露出されていないので、例えば、電子機器用カバー１００Ａを使用する際に配線２７ａ、２７ｂを誤って引っ張ってしまうことや、配線同士が絡んでしまうことを防ぐことができる。ここでは、第１正極端子２６ａと正極２１ａとの配置関係および接続関係、ならびに、第１負極端子２６ｂと負極２１ｂとの配置関係および接続関係は、太陽電池モジュール２２がｘｙ面内で移動しても変わらないとする。
【００３７】
図６および図７を参照して、太陽電池モジュール２２のｘｙ面内の位置について、詳細に説明する。図６は、第２正極端子３６ａおよび第２負極端子３６ｂの位置を説明するための模式的な図である。図７（ａ）は、太陽電池モジュール２２の位置を説明するための模式的な図である。図７（ｂ）は、図７（ａ）中の下段の電子機器用カバーの模式的な断面図である。図６および図７（ａ）においては、見やすさのために、第１正極端子および第１負極端子の図示を省略している。
【００３８】
図６および図７に示すように、電子機器用カバー１００Ａは、１組の第１正極端子２６ａおよび第１負極端子２６ｂと、９組の第２正極端子３６ａ（ｐ１）〜３６ａ（ｐ９）および第２負極端子３６ｂ（ｐ１）〜３６ｂ（ｐ９）とを有する。第２正極端子および第２負極端子の参照符号の末尾に（ｐ１）〜（ｐ９）を付して、これらと第１正極端子２６ａおよび第１負極端子２６ｂとが接触しているときの、太陽電池モジュール２２のｘｙ面内における位置ｐ１〜ｐ９を表す。例えば、第１正極端子２６ａが第２正極端子３６ａ（ｐ１）と接触し、かつ、第１負極端子２６ｂが第２負極端子３６ｂ（ｐ１）と接触しているときの太陽電池モジュールを、太陽電池モジュール２２（ｐ１）と表すことがある。同様にして、太陽電池モジュールの参照符号の末尾に（ｐ１）〜（ｐ９）を付すことがある。例えば、第１正極端子２６ａが第２正極端子３６ａ（ｐ１）と接触し、かつ、第１負極端子２６ｂが第２負極端子３６ｂ（ｐ１）と接触しているとき、太陽電池モジュール２２の重心は、例えば電子機器用カバー１００Ａのｘｙ面内の中心（ｐ１＝（０、０））にあってもよい。
【００３９】
本明細書において、「電子機器１０に対する太陽電池モジュール２２の相対位置」は、特に断らない限り、電子機器１０の重心に対する太陽電池モジュール２２の重心の相対位置を指す。電子機器用カバー１００Ａにおいて、例えば、太陽電池モジュール２２の位置が変化しても、電子機器１０の位置は変化せず、電子機器１０に電気的に接続される第２正極端子３６ａ（ｐ１）〜（ｐ９）および第２負極端子３６ｂ（ｐ１）〜（ｐ９）の位置も変化しないとする。また、太陽電池モジュール２２と第１正極端子２６ａおよび第１負極端子２６ｂとの位置関係は変わらないとする。従って、電子機器１０に対する太陽電池モジュール２２の相対位置は、第１正極端子２６ａおよび第１負極端子２６ｂが、９組の第２正極端子３６ａ（ｐ１）〜３６ａ（ｐ９）および第２負極端子３６ｂ（ｐ１）〜３６ｂ（ｐ９）の内のどの組の端子と接触するかによって決まる。簡単のために、「電子機器１０に対する太陽電池モジュール２２の相対位置」を単に「太陽電池モジュール２２の位置」ということがある。
【００４０】
図６および図７に示す太陽電池モジュール２２（ｐ１）〜２２（ｐ９）の位置ｐ１〜ｐ９は、電子機器用カバー１００Ａの重心にｘｙ平面の原点（０、０）があるとすると、それぞれ、以下のように表すことができる：ｐ１＝（０、０）、ｐ２＝（ｗ、０）、ｐ３＝（０、Ｗ）、ｐ４＝（−ｗ、０）、ｐ５＝（０、−Ｗ）、ｐ６＝（ｗ、Ｗ）、ｐ７＝（−ｗ、Ｗ）、ｐ８＝（−ｗ、−Ｗ）、ｐ９＝（ｗ、−Ｗ）。ここで、ｗ、Ｗは定数であり、例えば、後で参照する図９に示すように、受容部３８のｘ軸方向の長さをｂ、ｙ軸方向の長さをＢ、太陽電池モジュール２２のｘ軸方向の長さをｃ、ｙ軸方向の長さをＣとすると、ｗ＝（ｂ−ｃ）／２、Ｗ＝（Ｂ−Ｃ）／２である。
【００４１】
図示する例においては、例えば図３に示すように、第１正極端子２６ａおよび第１負極端子２６ｂは、太陽電池モジュール２２の重心を中心として、点対称に配置されている。太陽電池モジュール２２と第１正極端子２６ａおよび第１負極端子２６ｂとの位置関係は、これに限られない。例えば、第１正極端子２６ａおよび第１負極端子２６ｂの対称点が、太陽電池モジュール２２の重心から（ｓｘ、ｓｙ）だけシフトしているときは、電子機器用カバー１００Ａのｘｙ平面の原点を（−ｓｘ、−ｓｙ）だけシフトさせればよい。
【００４２】
位置ｐ１〜ｐ９は、ガイド溝３２の形状によって決定され得る。第２正極端子３６ａおよび第２負極端子３６ｂの位置は、ガイド溝３２の形状によって決定され得る。例えば、ガイド溝３２を太陽電池モジュール２２の法線方向（ｚ軸方向）から見たとき、第２正極端子３６ａおよび第２負極端子３６ｂの少なくとも一部は、ガイド溝３２に重なる。図示するように、例えば、ガイド溝３２をｚ軸方向から見たとき、第２正極端子３６ａ（ｐ１）〜３６ａ（ｐ９）および第２負極端子３６ｂ（ｐ１）〜３６ｂ（ｐ９）の全てが、ガイド溝３２に重なっていてもよい。第２正極端子３６ａおよび第２負極端子３６ｂの少なくとも一部は、互いに直交する２本の直線ガイド溝部分の交差部に配置されていてもよい。第２正極端子３６ａおよび第２負極端子３６ｂの少なくとも一部は、ガイド溝３２の端部に配置されていてもよい。
【００４３】
図示する例においては、例えば、ｘ軸方向に延びるガイド溝３２ｘは、ｚ軸方向から見たとき、第２正極端子３６ａ（ｐ１）、３６ａ（ｐ２）および３６ａ（ｐ４）ならびに第２負極端子３６ｂ（ｐ１）、３６ｂ（ｐ２）および３６ｂ（ｐ４）と重なる。例えば、第２正極端子３６ａ（ｐ１）および第２負極端子３６ｂ（ｐ１）は、ｘ軸方向に延びるガイド溝３２ｘと、ｙ軸方向に延びるガイド溝３２ｙｂとの交差部に設けられている。例えば、第２正極端子３６ａ（ｐ２）および第２負極端子３６ｂ（ｐ２）は、ｘ軸方向に延びるガイド溝３２ｘと、ｙ軸方向に延びるガイド溝３２ｙｃとの交差部に設けられている。例えば、第２正極端子３６ａ（ｐ３）および第２負極端子３６ｂ（ｐ３）は、ｙ軸方向に延びるガイド溝３２ｙｂの端部に設けられている。
【００４４】
上述してきたように、電子機器用カバー１００Ａにおいて、太陽電池モジュール２２が位置ｐｑにあるとき、第１正極端子２６ａと第２正極端子３６ａ（ｐｑ）とが接触し、第１負極端子２６ｂと第２負極端子３６ｂ（ｐｑ）とが接触し、太陽電池モジュール２２が電子機器１０と電気的に接続される。（ここでｑは１〜９の整数である。）このとき、太陽電池モジュール２２は電子機器１０に電力を供給することができる。このように、太陽電池モジュール２２は、ｘｙ面内において、少なくとも互いに平行でない２方向（ここでは、ｘ軸に平行な方向およびｙ軸に平行な方向）に移動することができる。これを一般化して、次のように表すこともできる。
【００４５】
ｘｙ面内における、電子機器１０に対する太陽電池モジュール２２の相対位置が、少なくとも、第１位置であるときと、第１位置とは異なる第２位置であるときと、第１位置および第２位置を結ぶ直線上にない第３位置であるときとにおいて、第１正極端子２６ａと複数の第２正極端子３６ａのいずれかとが接触し、第１負極端子２６ｂと複数の第２負極端子３６ｂのいずれかとが接触し、太陽電池モジュール２２が電子機器１０と電気的に接続される。太陽電池モジュール２２は、少なくとも、第１位置と第２位置と第３位置とにおいて、電子機器１０に電力を供給することができる。図示する例において、例えば、位置ｐ１を第１位置とし、位置ｐ２を第２位置とすると、位置ｐ３を第３位置とすることができる。第１から第３位置の組み合わせは、もちろんこれに限られない。第１位置および第２位置を結ぶ直線と、第１位置および第３位置を結ぶ直線とは、互いに略直交していてもよい。
【００４６】
複数の第２正極端子３６ａ（ｐ１）〜３６ａ（ｐ９）の内、第１位置において、第１正極端子２６ａと接触する第２正極端子と、第２位置において、第１正極端子２６ａと接触する第２正極端子と、第３位置において、第１正極端子２６ａと接触する第２正極端子とは、互いに異なる。複数の第２負極端子３６ｂ（ｐ１）〜３６ｂ（ｐ９）の内、第１位置において、第１負極端子２６ｂと接触する第２負極端子と、第２位置において、第１負極端子２６ｂと接触する第２負極端子と、第３位置において、第１負極端子２６ｂと接触する第２負極端子とは、互いに異なる。
【００４７】
太陽電池モジュール２２が、少なくとも、第１位置と第２位置と第３位置とにおいて、電子機器１０と電気的に接続されると、電子機器用カバー１００Ａを装着した電子機器１０を使用するときに、使い方が制限されることなく、太陽電池モジュール２２の少なくとも一部に入射する太陽光の量が減少することが抑制される。以下図８を参照して説明する。
【００４８】
図８（ａ）〜（ｄ）は、電子機器用カバー１００Ａを装着した電子機器１０を手に持って使用するときの持ち方を説明するための模式的な図である。図８においては、見やすさのために、第１、第２正極端子および第１、第２負極端子の図示を省略している。
【００４９】
図８（ａ）〜（ｃ）に示すように、例えば電子機器１０を持つ手によって、太陽電池モジュール２２の位置を変えることができる。図８（ａ）は右手で持つ場合を示し、図８（ｂ）は左手で持つ場合を示し、図８（ｃ）は両手で持つ場合を示す。また、図８（ｄ）に示すように、電子機器１０を使用する向きによって、太陽電池モジュール２２の位置を変えてもよい。図８（ｄ）における電子機器１０および電子機器用カバー１００Ａは、図８（ａ）〜（ｃ）の状態から、ｘｙ面内において時計回りに９０°回転させた状態である。いずれの場合も、手で太陽電池モジュール２２を覆うことなく、電子機器１０を使用することができる。手だけでなく、手の影が太陽電池モジュール２２を覆わないように、太陽電池モジュール２２の位置をさらに調整することも可能である。電子機器１０に対する太陽電池モジュール２２の相対位置を変えることで、電子機器１０を持つ（握る）スペースをより広く確保することができるので、電子機器１０をより持ち易い（握り易い）。太陽電池モジュール２２が手で覆われないので、太陽電池モジュール２２に入射する太陽光の量が減少することが抑制され、太陽電池モジュール２２全体としての出力電流および／または出力電圧が低下し得るという問題の発生が抑制される。また、この目的を達成するために、電子機器１０の使い方（例えば、使用する向きや持ち方（例えば持つ手や持つ位置））は制限されない。
【００５０】
図６に示すように、９組の第２正極端子３６ａ（ｐ１）〜３６ａ（ｐ９）および第２負極端子３６ｂ（ｐ１）〜３６ｂ（ｐ９）は、太陽電池モジュール２２が移動する際に、第１正極端子２６ａと第２負極端子３６ｂとが接触することがなく、第１負極端子２６ｂと第２正極端子３６ａとが接触することがないように配置されている。太陽電池モジュール２２と電子機器１０（または電子機器１０の蓄電池）とが逆接続されることを防ぐためである。具体的には、太陽電池モジュール２２がガイド溝３２に沿って移動する際に、第１正極端子２６ａが通る経路に、第２負極端子３６ｂを設けず、第１負極端子２６ｂが通る経路に、第２正極端子３６ａを設けないことで、逆接続を防ぐことができる。
【００５１】
図９を参照する。図９は、電子機器用カバー１００Ａの各部のサイズを説明するための模式的な図である。図９（ａ）は、電子機器用カバー１００Ａを、太陽電池モジュール２２を有する面の正面から見た模式的な平面図（すなわち、ｚ軸方向から見た模式的な平面図）であり、図９（ｂ）は、図９（ａ）中の９Ｂ−９Ｂ’線に沿った断面図であり、図９（ｃ）は、図９（ａ）中の９Ｃ−９Ｃ’線に沿った断面図である。図９においては、見やすさのために、第１、第２正極端子および第１、第２負極端子の図示を省略している。
【００５２】
図９に示すように、電子機器用カバー１００Ａのｘ軸方向の長さはａであり、ｙ軸方向の長さはＡである。太陽電池モジュール２２を保持する第１保持部２４のｘ軸方向の長さはｃであり、ｙ軸方向の長さはＣである。第１保持部２４のｘ軸方向の幅およびｙ軸方向の幅が、ｃおよびＣに比べて十分小さいときは、これらを無視することができる。このとき、太陽電池モジュール２２のｘ軸方向の長さがｃであり、ｙ軸方向の長さがＣであるとすることができる。受容部３８の、ｘ軸方向の長さはｂであり、ｙ軸方向の長さはＢである。受容部３８の中を、太陽電池モジュール２２を保持する第１保持部２４が移動することができる。従って、ａ≧ｂ＞ｃであり、Ａ≧Ｂ＞Ｃである。受容部３８のｚ軸方向の深さＫと、第１保持部２４のｚ軸方向の高さＫ１とは、例えば等しい（Ｋ＝Ｋ１）。電子機器用カバー１００Ａに保持される電子機器１０のｘ軸方向の長さは、例えば、電子機器用カバー１００Ａのｘ軸方向の長さａから、電子機器１０を保持する第２保持部３４のｘ軸方向の両端の厚さ２×ｄを除いた長さ（ａ−２×ｄ）である。（本明細書において、「×」は乗算を表す。）電子機器用カバー１００Ａに保持される電子機器１０のｙ軸方向の長さは、例えば、電子機器用カバー１００Ａのｙ軸方向の長さＡから、電子機器１０を保持する第２保持部３４のｙ軸方向の両端の厚さ２×Ｄを除いた長さ（Ａ−２×Ｄ）である。
【００５３】
ｙ軸方向に延びるガイド溝３２ｙａ、３２ｙｂ、３２ｙｃのｘ軸方向の幅はｅであり、ｙ軸方向の長さは、Ｇである。ｘ軸方向に延びるガイド溝３２ｘのｙ軸方向の幅はＥである。例えばｅ＝Ｅであってもよい。互いに平行な、ｙ軸方向に延びるガイド溝３２ｙａ、３２ｙｂ、３２ｙｃの溝間距離は、例えば、それぞれのガイド溝のｘ軸方向の幅ｅと等しい。ｘ軸方向に延びるガイド溝３２ｘのｘ軸方向の長さは、例えば５×ｅである。
【００５４】
ガイド溝３２に受容される幹部２８のｘ軸方向の長さはｈであり、ｙ軸方向の長さはＨである。従って、ｅ≧ｈであり、Ｅ≧Ｈである。嵌合部２９のｘ軸方向の長さはｊ（＞ｈ）であり、ｙ軸方向の長さはＪ（＞Ｈ）である。ｊ＞ｅであり、Ｊ＞Ｅであることが、凸部２５がガイド溝３２から外れてしまうことを防ぐために好ましい。
【００５５】
電子機器用カバー１００Ａのｘｙ面の中心にある太陽電池モジュール２２（ｐ１）の各辺から、受容部３８の端までの距離は、ｘ軸方向および−ｘ軸方向において、それぞれ（ｂ−ｃ）／２であり、ｙ軸方向および−ｙ軸方向において、それぞれ（Ｂ−Ｃ）／２である。一方、ガイド溝３２と幹部２８との大きさの関係から、電子機器用カバー１００Ａのｘｙ面の中心にある太陽電池モジュール２２（ｐ１）が、ｘ軸方向および−ｘ軸方向に移動できる距離は、それぞれ２×ｅであり、ｙ軸方向および−ｙ軸方向に移動できる距離は、それぞれ（Ｇ−Ｅ）／２である。従って、太陽電池モジュール２２が、受容部３８内を最大限移動できるためには、２×ｅ≧（ｂ−ｃ）／２であり、２×Ｅ≧（Ｂ−Ｃ）／２であることが好ましい。２×ｅ＞（ｂ−ｃ）／２および／または２×Ｅ＞（Ｂ−Ｃ）／２であっても、受容部３８のｚ軸方向の深さＫが第１保持部２４のｚ軸方向の高さＫ１の同程度以上である限り、受容部３８の範囲を超えて太陽電池モジュール２２が移動することはないので、問題はない。
【００５６】
凹部３７のｘ軸方向の長さは、例えば、ｘ軸方向に延びるガイド溝３２ｘのｘ軸方向の長さよりも大きい。凹部３７のｙ軸方向の長さは、例えば、ｙ軸方向に延びるガイド溝３２ｙａ、３２ｙｂ、３２ｙｃのｙ軸方向の長さＧよりも大きい。
【００５７】
太陽電池モジュール２２の位置に依らず、凹部３７は第１保持部２４に覆われていることが好ましい。このとき、端子が外部に露出しない。例えば、ｆ＜２×ｅであり、Ｆ＜（Ｇ−Ｅ）／２であることが好ましい。例えば、端子に誤って異物が接触してしまうことや凹部３７内に異物が混入して端子に接触することを防ぐことができる。
【００５８】
（実施形態２）
図１０〜図１９を参照して、本発明による実施形態２の電子機器用カバー１００Ｂを説明する。以下では、本実施形態における電子機器用カバー１００Ｂが実施形態１における電子機器用カバーと異なる点を中心に説明を行う。以降の実施形態についても同様である。
【００５９】
図１０〜図１３を参照して、電子機器用カバー１００Ｂを説明する。図１０（ａ）は、電子機器用カバー１００Ｂを、太陽電池モジュール２２を有する面の正面から見た模式的な平面図（すなわち、ｚ軸方向から見た模式的な平面図）であり、図１０（ｂ）は、図１０（ａ）中の１０Ｂ−１０Ｂ’線に沿った断面図であり、図１０（ｃ）は、図１０（ａ）中の１０Ｃ−１０Ｃ’線に沿った断面図である。図１１（ａ）は、位置ｐ６にある太陽電池モジュール２２（ｐ６）を有する電子機器用カバー１００Ｂを、ｚ軸方向から見た模式的な平面図であり、図１１（ｂ）は、図１１（ａ）中の１１Ｂ−１１Ｂ’線に沿った断面図であり、図１１（ｃ）は、図１１（ａ）中の１１Ｃ−１１Ｃ’線に沿った断面図である。図１２（ａ）は、位置ｐ８にある太陽電池モジュール２２（ｐ８）を有する電子機器用カバー１００Ｂを、ｚ軸方向から見た模式的な平面図であり、図１２（ｂ）は、図１２（ａ）中の１２Ｂ−１２Ｂ’線に沿った断面図であり、図１２（ｃ）は、図１２（ａ）中の１２Ｃ−１２Ｃ’線に沿った断面図である。図１３（ａ）〜（ｄ）は、電子機器用カバー１００Ｂを装着した電子機器１０を、手に持って使用するときの持ち方を説明するための模式的な図である。図１３においては、見やすさのために、第１、第２正極端子および第１、第２負極端子の図示を省略している。
【００６０】
図１０に示すように、電子機器用カバー１００Ｂは、第２正極端子３６ａおよび第２負極端子３６ｂを１つずつ有する点において、実施形態１の電子機器用カバーと異なる。ｚ軸方向から見たときの第２正極端子３６ａおよび第２負極端子３６ｂの大きさは、実施形態１よりも大きい。第２正極端子３６ａおよび第２負極端子３６ｂのｙ軸方向の長さは、例えば、凹部３７のｙ軸方向の長さと同じであってもよい。電子機器用カバー１００Ｂのガイド溝３２は、互いに直交するガイド溝３２ｘおよび３２ｙを含む。２本のｙ軸方向に延びるガイド溝３２ｙは、それぞれ、ｘ軸方向に延びるガイド溝３２ｘの両端部において、ｘ軸方向に延びるガイド溝３２ｘと交差している。
【００６１】
電子機器用カバー１００Ｂの太陽電池モジュール２２の位置は、実施形態１と同じように位置ｐ１〜ｐ９を取り得る。ここでは、位置ｐ１〜ｐ９のｘｙ座標は、実施形態１のものと同じとする。例えば、太陽電池モジュール２２の位置が位置ｐ６であるときの電子機器用カバー１００Ｂを図１１に示し、太陽電池モジュール２２の位置が位置ｐ８であるときの電子機器用カバー１００Ｂを図１２に示す。太陽電池モジュール２２が位置ｐ１〜ｐ９にあるとき、第１正極端子２６ａと第２正極端子３６ａとが接触し、第１負極端子２６ｂと第２負極端子３６ｂとが接触し、太陽電池モジュール２２が電子機器１０と電気的に接続される。このとき、太陽電池モジュール２２は電子機器１０に電力を供給することができる。
【００６２】
すなわち、電子機器用カバー１００Ｂにおいて、ｘｙ面内における、電子機器１０に対する太陽電池モジュール２２の相対位置が、少なくとも、第１位置であるときと、第１位置とは異なる第２位置であるときと、第１位置および第２位置を結ぶ直線上にない第３位置であるときとにおいて、第１正極端子２６ａと第２正極端子３６ａとが接触し、第１負極端子２６ｂと第２負極端子３６ｂとが接触し、太陽電池モジュール２２が電子機器１０と電気的に接続される。太陽電池モジュール２２は、少なくとも、第１位置と第２位置と第３位置とにおいて、電子機器１０に電力を供給することができる。
【００６３】
太陽電池モジュール２２が、少なくとも、第１位置と第２位置と第３位置とにおいて、電子機器１０と電気的に接続されると、電子機器用カバー１００Ｂを装着した電子機器１０を使用するときに、使い方が制限されることなく、太陽電池モジュール２２の少なくとも一部に入射する太陽光の量が減少することが抑制される。図１３（ａ）〜（ｄ）に示すように、電子機器１０の使い方（例えば、使用する向きや持ち方（例えば持つ手や持つ位置））によらず、手で太陽電池モジュール２２を覆うことなく、電子機器１０を使用することができる。手だけでなく、手の影が太陽電池モジュール２２を覆わないように、太陽電池モジュール２２の位置をさらに調整することもできる。電子機器１０をより持ち易い（握り易い）ように、太陽電池モジュール２２の位置をさらに調整し、電子機器１０を持つ（握る）スペースをより広く確保することも可能である。
【００６４】
本実施形態の電子機器用カバーにおいては、太陽電池モジュール２２が位置ｐ１〜ｐ９にあるときに加えて、位置ｐ１〜ｐ９のそれぞれの間を移動する過程においても、第１正極端子２６ａと第２正極端子３６ａとが接触し、第１負極端子２６ｂと第２負極端子３６ｂとが接触し、太陽電池モジュール２２が電子機器１０と電気的に接続されている。つまり、電子機器１０に対する太陽電池モジュール２２の相対位置が、第１位置と第２位置との間を移動する過程および第１位置と第３位置との間を移動する過程において、第１正極端子２６ａと第２正極端子３６ａとが接触し、第１負極端子２６ｂと第２負極端子３６ｂとが接触し、太陽電池モジュール２２が電子機器１０と電気的に接続される。電子機器用カバー１００Ｂは、電子機器１０をより効率的に充電することができる。電子機器用カバー１００Ｂは、実施形態１よりも、太陽電池モジュール２２が電子機器１０と電気的に接続される位置をより柔軟に選択することができるので、手で太陽電池モジュール２２を覆うことなく、電子機器１０を使用する方法の自由度がさらに向上する。
【００６５】
図１４〜図１９を参照して、電子機器用カバー１００Ｂの詳細な構造を説明する。
【００６６】
図１４は、太陽電池モジュール２２と第１正極端子２６ａおよび第１負極端子２６ｂとの接続関係を説明するための模式的な図である。図１４（ａ）は、太陽電池モジュール２２をｚ軸方向から見た模式的な平面図であり、図１４（ｂ）は、図１４（ａ）中の１４Ｂ−１４Ｂ’線に沿った断面図である。図１５（ａ）は、第１ボディ２０をｚ軸方向から見た模式的な平面図であり、図１５（ｂ）は、第１ボディ２０を−ｙ軸方向から見た模式的な側面図であり、図１５（ｃ）は、第１ボディ２０をｘ軸方向から見た模式的な側面図である。
【００６７】
図１６〜図１８は、第２ボディ３０ならびに第２ボディ３０が有する第１部品３０ａ、第２部品３０ｂおよび第３部品３０ｃの構成を模式的に説明するための図である。図１６（ａ）は、第２ボディ３０の模式的な斜視図であり、図１６（ｂ）は、第１部品３０ａをｚ軸方向から見た模式的な平面図であり、図１６（ｃ）は、第１部品３０ａを−ｙ軸方向から見た模式的な側面図であり、図１６（ｄ）は、第１部品３０ａをｘ軸方向から見た模式的な側面図である。図１７（ａ）は、第２部品３０ｂをｚ軸方向から見た模式的な平面図であり、図１７（ｂ）は、図１７（ａ）中の１７Ｂ−１７Ｂ’線に沿った断面図であり、図１７（ｃ）は、第２部品３０ｂをｘ軸方向からみた模式的な側面図である。図１７（ｄ）は、第３部品３０ｃをｚ軸方向から見た模式的な平面図であり、図１７（ｅ）は、図１７（ｄ）中の１７Ｅ−１７Ｅ’線に沿った断面図であり、図１７（ｆ）は、第３部品３０ｃをｘ軸方向からみた模式的な側面図である。図１８（ａ）は、第２部品３０ｂおよび第３部品３０ｃをｚ軸方向から見た模式的な平面図であり、図１８（ｂ）は、図１８（ａ）中の１８Ｂ−１８Ｂ’線に沿った断面図であり、図１８（ｃ）は、図１８（ａ）中の１８Ｃ−１８Ｃ’線に沿った断面図である。図１９は、電子機器用カバー１００Ｂの各部のサイズを説明するための模式的な図である。図１９（ａ）は、電子機器用カバー１００Ｂを、太陽電池モジュール２２を有する面の正面から見た模式的な平面図（すなわち、ｚ軸方向から見た模式的な平面図）であり、図１９（ｂ）は、図１９（ａ）中の１９Ｂ−１９Ｂ’線に沿った断面図であり、図１９（ｃ）は、図１９（ａ）中の１９Ｃ−１９Ｃ’線に沿った断面図である。
【００６８】
図１４および図１５に示すように、電子機器用カバー１００Ｂにおいて、嵌合部２９のｘ軸方向の長さは、実施形態１よりも大きい。図１９に示すように、幹部２８は、嵌合部２９側と反対側に、ｙ軸方向の長さが幹部よりも小さい幅狭部２８ｎを有する。幅狭部２８ｎのｘ軸方向の長さは、例えば、幹部２８のｘ軸方向の長さと同じである。
【００６９】
図１６〜図１８に示すように、第２ボディ３０は、例えば第１部品３０ａ、第２部品３０ｂ、３０ｂ’および第３部品３０ｃから構成されてもよい。第２部品３０ｂ’は、第２部品３０ｂにおけるｘ軸と−ｘ軸とを反転させたものである。第３部品３０ｃのｘｙ面内に設けられたｘ軸方向に延びる開口部（図１７（ｄ）参照）が、図１８に示すように、ｘ軸方向に延びるガイド溝３２ｘを形成する。図１９に示すように、ｘ軸方向に延びるガイド溝３２ｘのｘ軸方向の長さはｅであり、ｙ軸方向の幅はＥである。この中を、幹部２８の幅狭部２８ｎが、第３部品３０ｃに嵌合して、ｘ軸方向または−ｘ軸方向に移動する。幅狭部２８ｎのｘ軸方向の長さはｈ、ｙ軸方向の長さはＨである。幹部２８のｙ軸方向の長さＪは、幅狭部２８ｎのｙ軸方向の長さＨよりも大きい（Ｈ＜Ｊ）。Ｊ＞Ｅであることが、凸部２５がガイド溝３２から外れてしまうことを防ぐために好ましい。
【００７０】
図１８に示すように、第３部品３０ｃは、第２部品３０ｂおよび３０ｂ’に嵌合され、第２部品３０ｂおよび３０ｂ’に沿って、ｙ軸方向または−ｙ軸方向に移動する。第２部品３０ｂおよび３０ｂ’が、それぞれ、ｙ軸方向に延びるガイド溝３２ｙを形成する。第３部品３０ｃが第２部品３０ｂおよび３０ｂ’に嵌合されたとき、第２部品３０ｂおよび３０ｂ’は、第３部品３０ｃに対するガイドレールとなる。
【００７１】
図１９に示すように、ガイド溝３２と幹部２８との大きさの関係から、電子機器用カバー１００Ｂのｘｙ面の中心にある太陽電池モジュール２２（ｐ１）が、ｘ軸方向および−ｘ軸方向に移動できる距離は、それぞれ（ｅ−ｈ）／２である。第１負極端子２６ｂと第２正極端子３６ａとが接触することを防ぐためには、第１負極端子２６ｂのｘ軸方向の端と、第２正極端子３６ａの−ｘ軸方向の端との間のｘ軸方向における距離ｏは、（ｅ−ｈ）／２以上であればよい（ｏ≧（ｅ−ｈ）／２）。さらに、第１正極端子２６ａの−ｘ軸方向の端と、第１負極端子２６ｂの−ｘ軸方向の端とのｘ軸方向における距離ｍは、第２正極端子３６ａの−ｘ軸方向の端と、第２負極端子３６ｂの−ｘ軸方向の端とのｘ軸方向における距離ｎと同じかｎよりも大きければよい（ｍ≧ｎ）。
【００７２】
（実施形態３）
図２０〜図２３を参照して、本発明による実施形態３の電子機器用カバー１００Ｃを説明する。
【００７３】
図２０（ａ）は、電子機器用カバー１００Ｃを、太陽電池モジュール２２を有する面の正面から見た模式的な平面図（すなわち、ｚ軸方向から見た模式的な平面図）であり、図２０（ｂ）は、図２０（ａ）中の２０Ｂ−２０Ｂ’線に沿った断面図であり、図２０（ｃ）は、図２０（ａ）中の２０Ｃ−２０Ｃ’線に沿った断面図であり、図２０（ｄ）は、図２０（ａ）中の２０Ｄ−２０Ｄ’線に沿った断面図であり、図２０（ｅ）は、図２０（ａ）中の２０Ｅ−２０Ｅ’線に沿った断面図であり、図２０（ｆ）は、図２０（ａ）中の２０Ｆ−２０Ｆ’線に沿った断面図であり、図２０（ｇ）は、図２０（ａ）中の２０Ｇ−２０Ｇ’線に沿った断面図であり、図２０（ｈ）は、図２０（ａ）中の２０Ｈ−２０Ｈ’線に沿った断面図であり、図２０（ｉ）は、図２０（ａ）中の２０Ｉ−２０Ｉ’線に沿った断面図である。図２１（ａ）は、位置ｐ６にある太陽電池モジュール２２（ｐ６）を有する電子機器用カバー１００Ｃを、ｚ軸方向から見た模式的な平面図であり、図２１（ｂ）は、図２１（ａ）中の２１Ｂ−２１Ｂ’線に沿った断面図であり、図２１（ｃ）は、図２１（ａ）中の２１Ｃ−２１Ｃ’線に沿った断面図であり、図２１（ｄ）は、図２１（ａ）中の２１Ｄ−２１Ｄ’線に沿った断面図であり、図２１（ｅ）は、図２１（ａ）中の２１Ｅ−２１Ｅ’線に沿った断面図であり、図２１（ｆ）は、図２１（ａ）中の２１Ｆ−２１Ｆ’線に沿った断面図であり、図２１（ｇ）は、図２１（ａ）中の２１Ｇ−２１Ｇ’線に沿った断面図であり、図２１（ｈ）は、図２１（ａ）中の２１Ｈ−２１Ｈ’線に沿った断面図であり、図２１（ｉ）は、図２１（ａ）中の２１Ｉ−２１Ｉ’線に沿った断面図である。図２２（ａ）は、電子機器用カバー１００Ｃが有する第１ボディ２０および第２ボディ３０をｚ軸方向から見た模式的な平面図であり、図２２（ｂ）は、第１ボディ２０および第２ボディ３０を−ｙ軸方向から見た模式的な側面図であり、図２２（ｃ）は、第１ボディ２０および第２ボディ３０をｘ軸方向から見た模式的な側面図である。図２３は、太陽電池モジュール２２と第１正極端子２６ａおよび第１負極端子２６ｂとの接続関係を説明するための模式的な図である。図２３（ａ）は、太陽電池モジュール２２をｚ軸方向から見た模式的な平面図であり、図２３（ｂ）は、図２３（ａ）中の２３Ｂ−２３Ｂ’線に沿った断面図である。
【００７４】
図２０および図２２に示すように、電子機器用カバー１００Ｃは、複数の第２正極端子３６ａおよび複数の第２負極端子３６ｂの形状において、実施形態１と異なる。電子機器用カバー１００Ｃは、複数の第１正極端子２６ａおよび複数の第１負極端子２６ｂを有する点において、実施形態１と異なる。電子機器用カバー１００Ｃは、太陽電池モジュール２２が位置ｐ１〜ｐ９にあるときに加えて、位置ｐ１〜ｐ９のそれぞれの間を移動する過程においても、太陽電池モジュール２２が電子機器１０と電気的に接続されている点において、実施形態１と異なる。電子機器用カバー１００Ｃは、複数の第２正極端子３６ａおよび複数の第２負極端子３６ｂを有する点において、実施形態２の電子機器用カバーと異なる。電子機器用カバー１００Ｃが有するガイド溝３２の形状は、例えば実施形態１と同じであってもよい。電子機器用カバー１００Ｃにおいて、嵌合部２９のｘ軸方向の長さおよびｙ軸方向の長さは、例えば実施形態１よりも大きい。
【００７５】
電子機器用カバー１００Ｃの太陽電池モジュール２２の位置は、実施形態１と同じように位置ｐ１〜ｐ９を取り得る。例えば、太陽電池モジュール２２の位置が位置ｐ６であるときの電子機器用カバー１００Ｃを図２１に示す。電子機器用カバー１００Ｂにおいて、太陽電池モジュール２２が位置ｐｑにあるとき、第１正極端子２６ａと第２正極端子３６ａ（ｐｑ）とが接触し、第１負極端子２６ｂと第２負極端子３６ｂ（ｐｑ）とが接触し、太陽電池モジュール２２が電子機器１０と電気的に接続される。（ここでｑは１〜９の整数である。）このとき、太陽電池モジュール２２は電子機器１０に電力を供給することができる。
【００７６】
すなわち、電子機器用カバー１００Ｃにおいて、ｘｙ面内における、電子機器１０に対する太陽電池モジュール２２の相対位置が、少なくとも、第１位置であるときと、第１位置とは異なる第２位置であるときと、第１位置および第２位置を結ぶ直線上にない第３位置であるときとにおいて、複数の第１正極端子２６ａのいずれかと複数の第２正極端子３６ａのいずれかとが接触し、複数の第１負極端子２６ｂのいずれかと複数の第２負極端子３６ｂのいずれかとが接触し、太陽電池モジュール２２が電子機器１０と電気的に接続される。太陽電池モジュール２２は、少なくとも、第１位置と第２位置と第３位置とにおいて、電子機器１０に電力を供給することができる。
【００７７】
太陽電池モジュール２２が、少なくとも、第１位置と第２位置と第３位置とにおいて、電子機器１０と電気的に接続されると、電子機器用カバー１００Ｃを装着した電子機器１０を使用するときに、使い方が制限されることなく、太陽電池モジュール２２の少なくとも一部に入射する太陽光の量が減少することが抑制される。電子機器１０の使い方（例えば、使用する向きや持ち方（例えば持つ手や持つ位置））によらず、手で太陽電池モジュール２２を覆うことなく、電子機器１０を使用することができる。手だけでなく、手の影が太陽電池モジュール２２を覆わないように、太陽電池モジュール２２の位置をさらに調整することもできる。電子機器１０をより持ち易い（握り易い）ように、太陽電池モジュール２２の位置をさらに調整し、電子機器１０を持つ（握る）スペースをより広く確保することも可能である。
【００７８】
本実施形態の電子機器用カバーにおいては、太陽電池モジュール２２が位置ｐ１〜ｐ９にあるときに加えて、位置ｐ１〜ｐ９のそれぞれの間を移動する過程においても、複数の第１正極端子２６ａのいずれかと複数の第２正極端子３６ａのいずれかとが接触し、複数の第１負極端子２６ｂのいずれかと複数の第２負極端子３６ｂのいずれかとが接触し、太陽電池モジュール２２が電子機器１０と電気的に接続されている。つまり、電子機器１０に対する太陽電池モジュール２２の相対位置が、第１位置と第２位置との間を移動する過程および第１位置と第３位置との間を移動する過程において、複数の第１正極端子２６ａのいずれかと複数の第２正極端子３６ａのいずれかとが接触し、複数の第１負極端子２６ｂのいずれかと複数の第２負極端子３６ｂのいずれかとが接触し、太陽電池モジュール２２が電子機器１０と電気的に接続される。電子機器用カバー１００Ｃは、電子機器１０をより効率的に充電することができる。電子機器用カバー１００Ｃは、実施形態１よりも、太陽電池モジュール２２が電子機器１０と電気的に接続される位置をより柔軟に選択することができるので、手で太陽電池モジュール２２を覆うことなく、電子機器１０を使用する方法の自由度がさらに向上する。
【００７９】
電子機器用カバー１００Ｄが有する複数の第２正極端子３６ａおよび複数の第２負極端子は、太陽電池モジュール２２が移動する際に、第１正極端子２６ａと第２負極端子３６ｂとが接触することがなく、第１負極端子２６ｂと第２正極端子３６ａとが接触することがないように配置されている。太陽電池モジュール２２と電子機器１０（または電子機器１０の蓄電池）とが逆接続されることを防ぐためである。
【００８０】
（実施形態４）
図２４〜図２７を参照して、本発明による実施形態４の電子機器用カバー１００Ｄを説明する。
【００８１】
図２４（ａ）は、電子機器用カバー１００Ｄを、太陽電池モジュール２２を有する面の正面から見た模式的な平面図（すなわち、ｚ軸方向から見た模式的な平面図）であり、図２４（ｂ）は、図２４（ａ）中の２４Ｂ−２４Ｂ’線に沿った断面図であり、図２４（ｃ）は、図２４（ａ）中の２４Ｃ−２４Ｃ’線に沿った断面図である。図２５（ａ）は、位置ｐ６にある太陽電池モジュール２２（ｐ６）を有する電子機器用カバー１００Ｄを、ｚ軸方向から見た模式的な平面図であり、図２５（ｂ）は、図２５（ａ）中の２５Ｂ−２５Ｂ’線に沿った断面図であり、図２５（ｃ）は、図２５（ａ）中の２５Ｃ−２５Ｃ’線に沿った断面図である。図２６（ａ）は、電子機器用カバー１００Ｄが有する第２ボディ３０の模式的な斜視図であり、図２６（ｂ）は、第２ボディ３０をｚ軸方向から見た模式的な平面図であり、図２６（ｃ）は、第２ボディ３０を−ｙ軸方向から見た模式的な側面図であり、図２６（ｄ）は、第２ボディ３０をｘ軸方向から見た模式的な側面図である。図２６（ａ）においては、見やすさのために、第２正極端子および第２負極端子の図示を省略している。図２７は、電子機器用カバー１００Ｄにおける、太陽電池モジュール２２と複数の第１正極端子２６ａおよび複数の第１負極端子２６ｂとの接続関係を説明するための模式的な図であり、太陽電池モジュール２２をｚ軸方向から見た模式的な平面図である。
【００８２】
図２４に示すように、電子機器用カバー１００Ｄは、複数の第２正極端子３６ａおよび複数の第２負極端子３６ｂが配置される位置において、実施形態１と異なる。電子機器用カバー１００Ｄは、複数の第１正極端子２６ａおよび複数の第１負極端子２６ｂを有する点において、実施形態１と異なる。電子機器用カバー１００Ｄは、太陽電池モジュール２２が位置ｐ１〜ｐ９にあるときに加えて、位置ｐ１〜ｐ９のそれぞれの間を移動する過程においても、太陽電池モジュール２２が電子機器１０と電気的に接続されている点において、実施形態１と異なる。
【００８３】
電子機器用カバー１００Ｄの太陽電池モジュール２２の位置は、実施形態１と同じように位置ｐ１〜ｐ９を取り得る。例えば、太陽電池モジュール２２の位置が位置ｐ６であるときの電子機器用カバー１００Ｄを図２５に示す。
【００８４】
電子機器用カバー１００Ｄにおいて、複数の第２正極端子３６ａの一部および複数の第２負極端子３６ｂの一部（図示する例では３６ａ（ｐ２）〜３６ａ（ｐ９）および３６ｂ（ｐ２）〜３６ｂ（ｐ９））は、凹部３７のｘ軸方向における端または凹部３７のｙ軸方向における端に接している。複数の第２正極端子３６ａおよび複数の第２負極端子３６ｂのうち、凹部３７のｘ軸方向における端または凹部３７のｙ軸方向における端に接している端子が、第１正極端子２６ａまたは第１負極端子２６ｂと接触するときは、図２５に示すように、第１端子のｘｚ面と第２端子のｘｚ面とが、または、第１端子のｙｚ面と第２端子のｙｚ面とが接触してもよい。第２正極端子３６ａと第２負極端子３６ｂとは、直接電気的に接続されないように配置されている。例えば、第２正極端子３６ａと第２負極端子３６ｂとが接触しないように配置されている。隣接する第２正極端子３６ａおよび第２負極端子３６ｂの間に、絶縁部材を設けてもよい。
【００８５】
電子機器用カバー１００Ｄにおいて、太陽電池モジュール２２が位置ｐｑにあるとき、第１正極端子２６ａと第２正極端子３６ａ（ｐｑ）とが接触し、第１負極端子２６ｂと第２負極端子３６ｂ（ｐｑ）とが接触し、太陽電池モジュール２２が電子機器１０と電気的に接続される。（ここでｑは１〜９の整数である。）このとき、太陽電池モジュール２２は電子機器１０に電力を供給することができる。
【００８６】
すなわち、電子機器用カバー１００Ｄにおいて、ｘｙ面内における、電子機器１０に対する太陽電池モジュール２２の相対位置が、少なくとも、第１位置であるときと、第１位置とは異なる第２位置であるときと、第１位置および第２位置を結ぶ直線上にない第３位置であるときとにおいて、複数の第１正極端子２６ａのいずれかと複数の第２正極端子３６ａのいずれかとが接触し、複数の第１負極端子２６ｂのいずれかと複数の第２負極端子３６ｂのいずれかとが接触し、太陽電池モジュール２２が電子機器１０と電気的に接続される。太陽電池モジュール２２は、少なくとも、第１位置と第２位置と第３位置とにおいて、電子機器１０に電力を供給することができる。
【００８７】
太陽電池モジュール２２が、少なくとも、第１位置と第２位置と第３位置とにおいて、電子機器１０と電気的に接続されると、電子機器用カバー１００Ｃを装着した電子機器１０を使用するときに、使い方が制限されることなく、太陽電池モジュール２２の少なくとも一部に入射する太陽光の量が減少することが抑制される。電子機器１０の使い方（例えば、使用する向きや持ち方（例えば持つ手や持つ位置））によらず、手で太陽電池モジュール２２を覆うことなく、電子機器１０を使用することができる。手だけでなく、手の影が太陽電池モジュール２２を覆わないように、太陽電池モジュール２２の位置をさらに調整することもできる。電子機器１０をより持ち易い（握り易い）ように、太陽電池モジュール２２の位置をさらに調整し、電子機器１０を持つ（握る）スペースをより広く確保することも可能である。
【００８８】
電子機器用カバー１００Ｄが有するガイド溝３２は、例えば図２４〜図２６に示すように、ガイド溝３２は、ｘ軸方向に延びるガイド溝３２ｘと、ｙ軸方向に延びるガイド溝３２ｙとを有する。すなわち、ガイド溝３２は、互いに直交する２本の直線ガイド溝部分を含む。複数のｘ軸方向に延びるガイド溝３２ｘの溝間距離は、例えば互いに等しい。複数のｙ軸方向に延びるガイド溝３２ｙの溝間距離は、例えば互いに等しい。複数のｘ軸方向に延びるガイド溝３２ｘおよび複数のｙ軸方向に延びるガイド溝３２ｙは、例えば格子状に配置されている。
【００８９】
本実施形態の電子機器用カバーにおいては、太陽電池モジュール２２は、例えば、位置ｐ６＝（ｗ、Ｗ）から位置ｐ１＝（０、０）を通ることなく位置ｐ３（０、Ｗ）へ移動することができる。位置ｐ６＝（ｗ、Ｗ）から位置ｐ１＝（０、０）を通ることなく位置ｐ７（−ｗ、Ｗ）へ移動することができる。これに対して、実施形態１においては、位置ｐ６＝（ｗ、Ｗ）から位置ｐ３（０、Ｗ）または位置ｐ７（−ｗ、Ｗ）へ移動する際には位置ｐ１＝（０、０）を経由する必要がある。電子機器用カバー１００Ｄは、実施形態１に比べて、太陽電池モジュール２２の移動経路の選択における自由度が高い。電子機器用カバー１００Ｄは、実施形態１に比べて、太陽電池モジュール２２の移動をより素早く行うことができる。
【００９０】
本実施形態の電子機器用カバーにおいては、太陽電池モジュール２２が位置ｐ１〜ｐ９にあるときに加えて、位置ｐ１〜ｐ９のそれぞれの間を移動する過程においても、複数の第１正極端子２６ａのいずれかと複数の第２正極端子３６ａのいずれかとが接触し、複数の第１負極端子２６ｂのいずれかと複数の第２負極端子３６ｂのいずれかとが接触し、太陽電池モジュール２２が電子機器１０と電気的に接続されている。つまり、電子機器１０に対する太陽電池モジュール２２の相対位置が、第１位置と第２位置との間を移動する過程および第１位置と第３位置との間を移動する過程において、複数の第１正極端子２６ａのいずれかと複数の第２正極端子３６ａのいずれかとが接触し、複数の第１負極端子２６ｂのいずれかと複数の第２負極端子３６ｂのいずれかとが接触し、太陽電池モジュール２２が電子機器１０と電気的に接続される。電子機器用カバー１００Ｄは、電子機器１０をより効率的に充電することができる。電子機器用カバー１００Ｄは、実施形態１よりも、太陽電池モジュール２２が電子機器１０と電気的に接続される位置をより柔軟に選択することができるので、手で太陽電池モジュール２２を覆うことなく、電子機器１０を使用する方法の自由度がさらに向上する。
【００９１】
例えば図２４および図２６に示すように、電子機器用カバー１００Ｄは、ｚ軸方向から見たとき、複数のｘ軸方向に延びるガイド溝３２ｘおよび複数のｙ軸方向に延びるガイド溝３２ｙの内側に、島状またはライン状の複数の第２正極端子３６ａおよび複数の第２負極端子３６ｂを有する。これらの第２正極端子３６ａおよび第２負極端子３６ｂを有することによって、太陽電池モジュール２２が位置ｐ１〜ｐ９のそれぞれの間を移動する過程においても、太陽電池モジュール２２と電子機器１０とが電気的に接続される。
【００９２】
電子機器用カバー１００Ｄが有する複数の第２正極端子３６ａおよび複数の第２負極端子３６ｂは、太陽電池モジュール２２が移動する際に、第１正極端子２６ａと第２負極端子３６ｂとが接触することがなく、第１負極端子２６ｂと第２正極端子３６ａとが接触することがないように配置されている。太陽電池モジュール２２と電子機器１０（または電子機器１０の蓄電池）とが逆接続されることを防ぐためである。
【００９３】
逆接続を防ぐためには、例えば以下のように第２正極端子３６ａおよび第２負極端子３６ｂを配置すればよい。図２４に示すように、凹部３７のｘ軸方向における端に接して配列されている第２正極端子３６ａ（ｐ５）と第２負極端子３６ｂ（ｐ９）との間の距離を、ｅ１とする。太陽電池モジュール２２が位置ｐ５と位置ｐ９との間を移動する際に逆接続が生じないためには、例えば、ｅ１は、幹部２８のｘ軸方向の長さｈと同じであるかまたはｈよりも大きくすればよい。同様に、凹部３７のｙ軸方向における端に接して配列されている第２正極端子３６ａ（ｐ４）と第２負極端子３６ｂ（ｐ７）との間の距離を、Ｅ１とする。太陽電池モジュール２２が位置ｐ４と位置ｐ７との間を移動する際に逆接続が生じないためには、例えば、Ｅ１は、幹部２８のｙ軸方向の長さＨと同じであるかまたはＨよりも大きくすればよい。他の第２正極端子３６ａおよび第２負極端子３６ｂについても同様に配置すればよい。
【００９４】
複数の第２正極端子３６ａの内、第１位置において、第１正極端子２６ａのいずれかと接触する第２正極端子と、第２位置において、第１正極端子２６ａのいずれかと接触する第２正極端子と、第３位置において、第１正極端子２６ａのいずれかと接触する第２正極端子とは、互いに異なる。複数の第２負極端子３６ｂの内、第１位置において、第１負極端子２６ｂのいずれかと接触する第２負極端子と、第２位置において、第１負極端子２６ｂのいずれかと接触する第２負極端子と、第３位置において、第１負極端子２６ｂのいずれかと接触する第２負極端子とは、互いに異なる。
【００９５】
図２７に示すように、第１正極端子２６ａのそれぞれは、配線２７ａを介して、太陽電池モジュール２２の正極２１ａに電気的に接続されている。第１負極端子２６ｂのそれぞれは、配線２７ｂを介して、太陽電池モジュール２２の負極２１ｂに電気的に接続されている。図示を省略するが、配線２７ａ、２７ｂは、例えば、第１保持部２４および凸部２５の内部を通って配置されている。配線２７ａ、２７ｂは、外部に露出されていない。
【００９６】
（実施形態５）
図２８〜図３１を参照して、本発明による実施形態５の電子機器用カバー１００Ｅを説明する。
【００９７】
図２８〜図３０を参照して、電子機器用カバー１００Ｅの構造を説明する。図２８（ａ）は、電子機器用カバー１００Ｅを、太陽電池モジュール２２を有する面の正面から見た模式的な平面図（すなわち、ｚ軸方向から見た模式的な平面図）であり、図２８（ｂ）は、電子機器用カバー１００Ｅが有するフィラー部２３の動作を説明するための模式的な図である。図２９（ａ）は、図２８（ａ）中の２９Ａ−２９Ａ’線に沿った断面図であり、図２９（ｂ）は、図２８（ａ）中の２９Ｂ−２９Ｂ’線に沿った断面図であり、図２９（ｃ）は、図２８（ａ）中の２９Ｃ−２９Ｃ’線に沿った断面図であり、図２９（ｄ）は、図２８（ａ）中の２９Ｄ−２９Ｄ’線に沿った断面図であり、図２９（ｅ）は、図２８（ａ）中の２９Ｅ−２９Ｅ’線に沿った断面図である。図３０（ａ）は、位置ｐ２にある太陽電池モジュール２２（ｐ２）を有する電子機器用カバー１００Ｅを、ｚ軸方向から見た模式的な平面図であり、図３０（ｂ）は、図３０（ａ）中の３０Ｂ−３０Ｂ’線に沿った断面図である。図３１は、電子機器用カバー１００Ｅの各部のサイズを説明するための模式的な図である。図３１（ａ）は、電子機器用カバー１００Ｅを、太陽電池モジュール２２を有する面の正面から見た模式的な平面図（すなわち、ｚ軸方向から見た模式的な平面図）であり、図３１（ｂ）は、図３１（ａ）中の３１Ｂ−３１Ｂ’線に沿った断面図であり、図３１（ｃ）は、図３１（ａ）中の３１Ｃ−３１Ｃ’線に沿った断面図である。
【００９８】
図２８〜図３０に示すように、電子機器用カバー１００Ｅは、受容部３８の少なくとも一部を埋めるフィラー部２３を有する点において、実施形態１と異なる。電子機器用カバー１００Ｅは、フィラー部２３を除いて、実施形態１の電子機器用カバー１００Ａと同じであってもよい。図２８（ａ）および図３０（ａ）においては、見やすさのために、第１、第２正極端子および第１、第２負極端子の図示を省略する。また、図２９（ａ）〜（ｅ）、図３０（ｂ）および図３１（ｂ）の断面図においては、簡単のために、電子機器用カバー１００Ｅに保持される電子機器の図示を省略する。
【００９９】
フィラー部２３は、受容部３８の少なくとも一部を埋めるように配置されている。フィラー部２３は、ｚ軸方向の高さが低い状態（Ｌ）とｚ軸方向の高さが高い状態（Ｈ）とを、実現することができる（図２８（ｂ）参照）。電子機器用カバー１００Ｅは、フィラー部２３を有することによって、太陽電池モジュール２２または第１保持部２４のｙｚ面およびｚｘ面が露出されることを防ぐことができる。太陽電池モジュール２２の端面を保護することができる。フィラー部２３を有することによって、電子機器用カバー１００Ｅのｘｙ面に平行な面（上面）を平らにすることができる。
【０１００】
図３０に、太陽電池モジュール２２の位置が位置ｐ２であるときの電子機器用カバー１００Ｅをに示す。フィラー部２３は、太陽電池モジュール２２の位置に応じて、各フィラー部２３のｚ軸方向の高さが低い状態（Ｌ）とｚ軸方向の高さが高い状態（Ｈ）とを切り替えることができる。電子機器用カバー１００Ｅは、太陽電池モジュール２２の位置によらず、太陽電池モジュール２２の端面を保護することができる。電子機器用カバー１００Ｅは、太陽電池モジュール２２の位置によらず、平らな上面を有することができる。
【０１０１】
フィラー部２３は、オルタネイト動作を行うものであることが好ましい。フィラー部２３は、例えば、−ｚ軸方向に力を加えられることによって、ｚ軸方向の高さが低い状態（Ｌ）とｚ軸方向の高さが高い状態（Ｈ）とが、交互に切り替わる。例えば、ｚ軸方向の高さが低い状態（Ｌ）のフィラー部２３を押すと、ｚ軸方向の高さが高い状態（Ｈ）になり、押す力を取り除いてもその状態が保たれる。もう一度押すと、ｚ軸方向の高さが低い状態（Ｌ）に戻る。このような動作をオルタネイト動作（または「位置保持型」、「プッシュオン・プッシュオフ型」）という。
【０１０２】
図３１に示すように、フィラー部２３は、例えば、ｘ軸方向の長さをｂ１またはｂ２とし、ｙ軸方向の長さをＢ１またはＢ２とする。フィラー部２３は、受容部３８を埋めるように配置され、例えばｂ＝ｂ１×４＋ｂ２であり、Ｂ＝Ｂ１×４＋Ｂ２である。図示するように、フィラー部２３（１１）〜２３（１４）の大きさはｂ１×Ｂ２、フィラー部２３（３）、２３（８）、２３（１７）、２３（２２）の大きさはｂ２×Ｂ１、これら以外のフィラー部の大きさはｂ１×Ｂ１である。ｂ１は、２×ｅと等しいことが好ましく、Ｂ１は、（Ｇ−Ｅ）／２と等しいことが好ましい。実施形態１で述べたように、２×ｅは、電子機器用カバー１００Ｅのｘｙ面の中心にある太陽電池モジュール２２（ｐ１）が、ｘ軸方向および−ｘ軸方向にそれぞれ移動できる距離であり、（Ｇ−Ｅ）／２は、電子機器用カバー１００Ｅのｘｙ面の中心にある太陽電池モジュール２２（ｐ１）が、ｙ軸方向および−ｙ軸方向にそれぞれ移動できる距離である。フィラー部２３のｚ軸方向における、高い状態（Ｈ）と低い状態（Ｌ）との差Ｋ２は、受容部３８のｚ軸方向の深さＫおよび第１保持部２４のｚ軸方向の高さＫ１と等しいことが好ましい。
【０１０３】
上記の説明においては、実施形態１の電子機器用カバーにフィラー部２３を設けた例を示したが、本実施形態はこれに限られない。例えば、実施形態２から４のいずれかの電子機器用カバーにフィラー部を設けてもよい。
【０１０４】
本明細書は以下の項目１〜１４に記載の電子機器用カバーを開示している。
［項目１］
電子機器を保持する電子機器用カバーであって、
前記電子機器に電力を供給することができる太陽電池モジュールと、
前記太陽電池モジュールと電気的に接続された少なくとも１つの第１正極端子および少なくとも１つの第１負極端子と、
前記電子機器に電気的に接続される少なくとも１つの第２正極端子および少なくとも１つの第２負極端子と、
前記太陽電池モジュールと略平行な面に設けられたガイド溝と
を有し、
前記太陽電池モジュールは、前記ガイド溝に沿って前記面内を移動することができ、
前記面内における、前記電子機器に対する前記太陽電池モジュールの相対位置が、少なくとも、第１位置であるときと、前記第１位置とは異なる第２位置であるときと、前記第１位置および前記第２位置を結ぶ直線上にない第３位置であるときとにおいて、前記少なくとも１つの第１正極端子のいずれかと前記少なくとも１つの第２正極端子のいずれかとが接触し、前記少なくとも１つの第１負極端子のいずれかと前記少なくとも１つの第２負極端子のいずれかとが接触し、前記太陽電池モジュールが前記電子機器と電気的に接続される、電子機器用カバー。
項目１の電子機器用カバーによると、電子機器用カバーを装着した電子機器を使用するときに、使い方が制限されることなく、太陽電池モジュールの少なくとも一部に入射する太陽光の量が減少することが抑制される。
［項目２］
前記第１位置および前記第２位置を結ぶ直線と、前記第１位置および前記第３位置を結ぶ直線とは、互いに略直交する、項目１に記載の電子機器用カバー。
［項目３］
前記ガイド溝は、互いに略直交する２本の直線ガイド溝部分を含む、項目１または２に記載の電子機器用カバー。
［項目４］
前記面内における、前記電子機器に対する前記太陽電池モジュールの相対位置が、前記第１位置と前記第２位置との間を移動する過程および前記第１位置と前記第３位置との間を移動する過程において、前記少なくとも１つの第１正極端子のいずれかと前記少なくとも１つの第２正極端子のいずれかとが接触し、前記少なくとも１つの第１負極端子のいずれかと前記少なくとも１つの第２負極端子のいずれかとが接触し、前記太陽電池モジュールが前記電子機器と電気的に接続される、項目１から３のいずれかに記載の電子機器用カバー。
項目４の電子機器用カバーは、電子機器をより効率的に充電することができる。項目４の電子機器用カバーは、太陽電池モジュールが電子機器と電気的に接続される位置をより柔軟に選択することができるので、電子機器を使用する方法の自由度がさらに向上する。
［項目５］
前記太陽電池モジュールを保持する第１保持部と、
前記第１保持部の太陽電池モジュール側と反対側に設けられ、前記ガイド溝に嵌合される凸部と、
前記凸部の先端部に設けられた前記少なくとも１つの第１正極端子および前記少なくとも１つの第１負極端子と
を有する第１ボディと、
前記太陽電池モジュールと略平行な面内に広がり、前記第１保持部を受容する受容部と、
前記ガイド溝と、
前記ガイド溝の前記受容部側と反対側に設けられ、前記太陽電池モジュールの法線方向から見たとき前記ガイド溝の少なくとも一部と重なる凹部と、
前記凹部内に設けられた前記少なくとも１つの第２正極端子および前記少なくとも１つの第２負極端子と、
電子機器を保持する第２保持部と
を有する第２ボディとを備え、
前記凹部は、前記第１保持部によって覆われている、項目１から４のいずれかに記載の電子機器用カバー。
項目５の電子機器用カバーは、端子が露出されていないので、端子に誤って異物が接触してしまうことを防ぐことができる。
［項目６］
前記ガイド溝は、前記太陽電池モジュールの法線方向から見たとき前記受容部の内側に設けられている、項目５に記載の電子機器用カバー。
［項目７］
前記ガイド溝は、前記太陽電池モジュールの法線方向から見たとき前記凹部の内側に設けられている、項目５または６に記載の電子機器用カバー。
［項目８］
前記受容部の少なくとも一部を埋めるように配置され、オルタネイト動作を行うフィラー部をさらに有する、項目５から７のいずれかに記載の電子機器用カバー。
項目８の電子機器用カバーは、太陽電池モジュールの位置によらず、太陽電池モジュールの端面を保護することができ、平らな上面を有する。
［項目９］
前記少なくとも１つの第２正極端子および前記少なくとも１つの第２負極端子は、前記太陽電池モジュールの法線方向から見たとき、前記ガイド溝の内側に設けられている、項目１から８のいずれかに記載の電子機器用カバー。
［項目１０］
前記少なくとも１つの第１正極端子は、１つの第１正極端子であり、前記少なくとも１つの第１負極端子は、１つの第１負極端子であり、前記少なくとも１つの第２正極端子は、複数の第２正極端子であり、前記少なくとも１つの第２負極端子は、複数の第２負極端子である、項目１から９のいずれかに記載の電子機器用カバー。
［項目１１］
前記複数の第２正極端子の内、前記第１位置において、前記１つの第１正極端子と接触する第２正極端子と、前記第２位置において、前記１つの第１正極端子と接触する第２正極端子と、前記第３位置において、前記１つの第１正極端子と接触する第２正極端子とは、互いに異なり、
前記複数の第２負極端子の内、前記第１位置において、前記１つの第１負極端子と接触する第２負極端子と、前記第２位置において、前記１つの第１負極端子と接触する第２負極端子と、前記第３位置において、前記１つの第１負極端子と接触する第２負極端子とは、互いに異なる、項目１０に記載の電子機器用カバー。
［項目１２］
前記少なくとも１つの第１正極端子は、１つの第１正極端子であり、前記少なくとも１つの第１負極端子は、１つの第１負極端子であり、前記少なくとも１つの第２正極端子は、１つの第２正極端子であり、前記少なくとも１つの第２負極端子は、１つの第２負極端子である、項目１から９のいずれかに記載の電子機器用カバー。
［項目１３］
前記少なくとも１つの第１正極端子は、複数の第１正極端子であり、前記少なくとも１つの第１負極端子は、複数の第１負極端子であり、前記少なくとも１つの第２正極端子は、複数の第２正極端子であり、前記少なくとも１つの第２負極端子は、複数の第２負極端子である、項目１から９のいずれかに記載の電子機器用カバー。
［項目１４］
前記複数の第２正極端子の内、前記第１位置において、前記複数の第１正極端子のいずれかと接触する第２正極端子と、前記第２位置において、前記複数の第１正極端子のいずれかと接触する第２正極端子と、前記第３位置において、前記複数の第１正極端子のいずれかと接触する第２正極端子とは、互いに異なり、
前記複数の第２負極端子の内、前記第１位置において、前記複数の第１負極端子のいずれかと接触する第２負極端子と、前記第２位置において、前記複数の第１負極端子のいずれかと接触する第２負極端子と、前記第３位置において、前記複数の第１負極端子のいずれかと接触する第２負極端子とは、互いに異なる、項目１３に記載の電子機器用カバー。
【産業上の利用可能性】
【０１０５】
本発明は、タブレットＰＣ、電子書籍端末、電子ノート、携帯電話、スマートフォン、携帯ゲーム機、音楽プレイヤー、電子辞書等に代表される電子機器用ケースとして、広く利用できる。
【符号の説明】
【０１０６】
１０    電子機器
２０    第１ボディ
２１ａ  正極
２１ｂ  負極
２２    太陽電池モジュール
２３    フィラー部
２４    第１保持部
２５    凸部
２６ａ  第１正極端子
２６ｂ  第１負極端子
２７ａ、２７ｂ  配線
２８    幹部
２９    嵌合部
３０    第２ボディ
３２    ガイド溝
３４    第２保持部
３６ａ  第２正極端子
３６ｂ  第２負極端子
３７    凹部
３８    受容部
１００Ａ、１００Ｂ、１００Ｃ、１００Ｄ、１００Ｅ    電子機器用カバー
【図１】
2017093084.tif 000003
【図２】
2017093084.tif 000004
【図３】
2017093084.tif 000005
【図４】
2017093084.tif 000006
【図５】
2017093084.tif 000007
【図６】
2017093084.tif 000008
【図７】
2017093084.tif 000009
【図８】
2017093084.tif 000010
【図９】
2017093084.tif 000011
【図１０】
2017093084.tif 000012
【図１１】
2017093084.tif 000013
【図１２】
2017093084.tif 000014
【図１３】
2017093084.tif 000015
【図１４】
2017093084.tif 000016
【図１５】
2017093084.tif 000017
【図１６】
2017093084.tif 000018
【図１７】
2017093084.tif 000019
【図１８】
2017093084.tif 000020
【図１９】
2017093084.tif 000021
【図２０】
2017093084.tif 000022
【図２１】
2017093084.tif 000023
【図２２】
2017093084.tif 000024
【図２３】
2017093084.tif 000025
【図２４】
2017093084.tif 000026
【図２５】
2017093084.tif 000027
【図２６】
2017093084.tif 000028
【図２７】
2017093084.tif 000029
【図２８】
2017093084.tif 000030
【図２９】
2017093084.tif 000031
【図３０】
2017093084.tif 000032
【図３１】
2017093084.tif 000033